(57)【要約】【課題】上述した事情に鑑み、本考案は、更に簡単な構造、更に簡単な操作手法を使用することができ、適切な力で支持構造物を回転させるだけで、三百六十度の任意の回転と位置決めができる肘掛を提供する。【解決手段】三百六十度回転できる位置決めの構造の肘掛で、特に肘掛の支持構造物１の下側端面の環に数個の突起部１２があり、突起部１２を座台の上の支持構造物１と結合する固定構造物２の上に設けた位置決め穴２２に固定して嵌めこむことができ、かつ固定構造物２の底面に支持構造物１を下に引っ張ることができるばね３を一つ設け、支持構造物１がきつく下に引っ張られた状態を保つことができるようにし、突起部１２を位置決め穴２２にきつく嵌めこむことによって、適切な力で肘掛を回すだけで、簡単で手軽に肘掛の回転及び位置決めを操作でき、肘掛が三百六十度の任意の回転と位置決めができるようにした。【選択図】　図２
0003098552.tif 000002
【実用新案登録請求の範囲】
【請求項１】
三百六十度回転して位置決めができる構造の一種の肘掛で、肘掛の結合に用いられる支持構造物及び座台上における結合に用いられる固定構造物からなり、その内、支持構造物の下側の端面の環に複数個の突起部を設け、固定構造物の支持構造物と結合する端面上には環に対応して突起を嵌めこんだ位置決め穴を設け、そして更に支持構造物の下側の端面の中央に導柱を伸ばして設け、固定構造物を貫通させた後、ばねを入れこむことができ、また導柱の末端において止め金を固定して、ばねによって支持構造物を下向きにきつく引っ張り、突起部と位置決め穴をきつき一緒に嵌めこむことを特徴とする肘掛の構造。
【請求項２】
特許請求の範囲第１項に記載の肘掛の三百六十度回転して位置決めできる構造であって、その内、支持構造物の下側の端面はその下側に設けた下端部の端面であり、下端部を固定構造物に設けた底面にある位置決め穴の上支え孔に插入することができることを特徴とする肘掛の構造。
【請求項３】
特許請求の範囲第１項に記載の肘掛の三百六十度回転して位置決めできる構造であって、その内、固定座の底面は底蓋を覆うことができることを特徴とする肘掛の構造。
【考案の詳細な説明】
【０００１】
【考案の属する分野】
本発明は、更に簡易な構造及び更に簡単な操作手法で、三百六十度任意の回転及び位置決めができる肘掛に関する。
【０００２】
【従来の技術】
一般的な椅具の肘掛は、おおまかに２つの部分に分けることができ、一つは座る人が腕を持たれ掛ける肘掛部で、もう一つは固定支持肘掛部として用い、かつ座台と固定結合する支持フレームで、それと同時に肘掛は非常に多くの高さの調整可能な構造を持つだけでなく、肘掛の動きまたは回転を調整することができ、公告第４５７８８１、４２２０３２、３９５２１３、３９３９６０、３７６７１６、３５０２５９、３４５９１５、３０６２２６、３０３６３８、２８５８６７及び２８１８９６号などの特許の様に、支持フレーム上端の肘掛部を比較的小さな角度で左右に動かすことができるもので、座る人の腕を更に自然に、快適に持たれ掛けさせることができるが、回転されることができる角度に限度があるため、更に大きな変化をさせて異なる要求に応じて更に大きな角度の調整をすることはできない。よって公告第４２２０３３、３８２２４２及び３６３３７３号などの特許のように、更に大きな角度の調整ができる構造があるが、公告第３８２２４２及び３６３３７３号の特許を除き、前述の肘掛回転調整構造は、すべて肘掛部と支持フレームの間に設けられ、かつその構造は非常に複雑であり、製造及び組立において容易でないことは明らかであり、かつ原価も比較的高いものとなる。
【０００３】
【考案が解決しようとする課題】
公告第３８２２４２及び３６３３７３号の特許の肘掛回転の構造は、肘掛部と支持フレームの間に設けられておらず、かつその構造も比較的簡単であるが、その調整方式または位置決め方法は、非常に不便または場合によっては位置決めすることができない。他にも、更に大きな角度または場合によっては三百六十度の回転ができる肘掛があり、公告第３３３０１０、３２３４８１、３１４７５２及び３１３８０１号などの特許であるが、その肘掛が回転できるようにする構造も肘掛部と支持フレームの間に設けられており、かつその構造は過度に複雑であり、その内、公告第３２３４８１号の特許の構造は比較的簡単であるが、肘掛部の一端に設けられているため、肘掛が回転した後、座台の脇に保つことができず、座る人の腕が適切に持たれ掛けることができない。
【０００４】
上述した事情に鑑み、本考案は、更に簡単な構造、更に簡単な操作手法を使用することができ、適切な力で支持構造物を回転させるだけで、三百六十度の任意の回転と位置決めができる肘掛を提供することを目的とする。
【０００５】
【課題を解決するための手段】
上述した課題を解決するため、本考案は、三百六十度回転して位置決めができる構造の一種の肘掛で、肘掛の結合に用いられる支持構造物及び座台上における結合に用いられる固定構造物からなり、その内、支持構造物の下側の端面の環に複数個の突起部を設け、固定構造物の支持構造物と結合する端面上には環に対応して突起を嵌めこんだ位置決め穴を設け、そして更に支持構造物の下側の端面の中央に導柱を伸ばして設け、固定構造物を貫通させた後、ばねを入れこむことができ、また導柱の末端において止め金を固定して、ばねによって支持構造物を下向きにきつく引っ張り、突起部と位置決め穴をきつき一緒に嵌めこむことを特徴としている。
【０００６】
【考案の実施の形態】
第１、２及び第３図が示すように、本考案は主に支持構造物及び固定構造物の２つの部分を含み、その内、
支持構造物１は、その上端は肘掛と固定結合し、下側には下端部１１を設け、かつ下端部１１の端面の環に複数個の突起部１２を設け、そして下端部１１の端面中央に導柱１３を伸ばして設け、導柱１３の端面にねじ穴１４を設ける。
【０００７】
固定構造物２の一端には座台と固定結合する板部を設け、もう一端には支持構造物と結合する結合部を設け、この結合部上方の窪みには上支え孔２１を設け、上支え孔２１の底面の環には複数個の位置決め穴２２を設け、中央には導孔２３を設け、また結合部下方の底面には下支え孔２４及び窪み２５を設ける。
【０００８】
よって、支持構造物１の導柱１１を固定構造物２の導孔２３に貫通させ、下端部を上支え孔２１に插入（挿入）し、各突起部１２を位置決め穴２２に嵌めこみ、そして下支え孔２４にばね３を入れ、また導柱１１の末端をねじ５で止め金４に固定し、ばね３によって支持構造物１を下向きに引っ張り、支持構造物１がきつく下に引っ張られた状態が保てるようにし、最後に頂点に凸縁６１のある底蓋６を設け、底蓋６が固定構造物２の底面の窪み２５を覆うことができるようにする。よって使用者は適切な力で連続して支持構造物１を回転させるだけで、第４図の示すように、突起部１２を位置決め穴２２から脱離させ、または再び突起部１２を位置決め穴２２に嵌めこむことができ、支持構造物１に三百六十度任意の回転と位置決めができるようにし、すなわち肘掛は異なる角度の任意の調整ができ、すなわち第５図の示すように、元々の僅かに後ろに傾いた肘掛７を、僅かに前に傾いた状態に転換して、異なる人の要求に応じることができる。
【０００９】
いずれにせよ、上述の実施例は本発明にとって比較的良好な具体化な開示と詳述であり、すべてこの技術に習熟した人がはっきりと理解できるもので、そのもたらす各種の形状及び局部の変化は、すべて本発明の精神と範疇を離れていないものである。
【００１０】
【考案の効果】
以上で説明したように、本考案は、肘掛が更に簡単な構造、更に簡単な操作手法を使用することができ、支持フレームを主に固定構造物及び支持構造物の２つの部分に分け、固定構造物の一端の板部を座台と固定結合させるために、もう一端は支持構造物と結合した一つの結合部であり、かつこの結合部の上方の窪みには底面の環に複数個の位置決め穴及を設け、中央には導孔の上支え孔を設け、また結合部の下方にはばねのある的下支え孔を設け、そして支持構造物の下端部分には固定構造物の上支え孔の端面を伸ばして、環に設けた複数個の突起部に対応させ、端面中央に導柱を伸ばして設け、支持構造物の上支え孔中間の導孔を貫通させ、そして導柱の本側に止め金を固定し、下支え孔の中のばねが止め金を上から抑え、支持構造物が下向きに引っ張られ、突起部を位置決め穴に嵌めこみ、よって適切な力で支持構造物を回転させるだけで、肘掛が三百六十度の任意の回転と位置決めができる。
【図面の簡単な説明】
【図１】本発明の外観見取図である。
【図２】本発明の立体分解見取図である。
【図３】本発明の断面図である。
【図４】本発明の動作見取図である。
【図５】本発明の肘掛の操作状況である。
【符号の説明】
１　　支持構造物
２　　固定構造物
３　　ばね
４　　止め金
５　　ねじ
６　　底蓋
７　　肘掛
１１　下端部
１２　突起部
１３　導柱
１４　ネジ穴
２１　上支え孔
２２　位置決め凹穴
２３　導孔
２４　下支え孔
２５　窪み
６１　凸縁
【図１】
0003098552.tif 000003
【図２】
0003098552.tif 000004
【図３】
0003098552.tif 000005
【図４】
0003098552.tif 000006
【図５】
0003098552.tif 000007